(57)【特許請求の範囲】
【請求項１】
四辺形板状の本体と、
前記本体の二つの隣接辺を外側に折り曲げることにより、前記本体の一表面上に設けられる外側鎹部と、
前記本体の残り２辺を内側に折り曲げることにより、前記本体の他表面上に設けられる内側鎹部を含み、
前記本体と同一平面上に対角線方向に延設される固定部が、前記外側鎹部間にある本体頂点部に設けられており、
前記固定部の周りにある２つの外側鎹部の対向する端に挿入されその端を閉塞するとともに、前記外側鎹部と連結される二つの隣接パネルの内側鎹部の対応端部を閉塞して、水分が、風により、前記パネルの外側鎹部と前記外側鎹部と連結される隣接パネルの対応内側鎹部との間に形成された隙間に逆流することを防止するとともに水分を前記本体に誘導する逆流防止キャップを備えていることを特徴とする建築物内外装用パネル。
【発明の詳細な説明】
【技術分野】
【０００１】
本発明は建築物内外装用鎹型パネルに係り、より詳しくは、建築物の屋根および内外壁への取り付けが簡便であり、風による鎹部の水分逆流を防止する建築物内外装用鎹型パネルに関するものである。
【背景技術】
【０００２】
一般に、建築物は支柱、壁および屋根を有するもので、外部の自然環境から内部空間を保護して、使用者に必要な内部空間を提供するようになっている。このため、建築物の屋根および内外壁は断熱および防水を実現するように構成されている。また、この屋根および内外壁は、建築物の外形を美麗にして住居および都市美観を向上させるため、内外装材で装飾されている。
【０００３】
このような建築物の内外装材には石材または金属パネルなどがある。この建築物の内外装用石材パネルは、施工後、連結部にシーリング処理を施さなければならないため、施工が不便であり、石材の重量により作業が難しい欠点がある。
【０００４】
前記石材パネルのこのような欠点を克服するため、金属パネルが多く使用されている。この建築物内外装用の金属パネルは石材パネルに比べて施工速度が速くて価格が安いし、美観を美しく装飾し得るので、多く使用されている。
【０００５】
このような建築物内外装用の金属パネルとしては、鎹型パネルが多く使用されている。この建築物内外装用の鎹型パネルは、正方形、長方形、菱形に形成され、４辺のうち、隣接した２辺が前方に折り曲げられ、残り２辺が後方に折り曲げられる鎹部を持っている。
【０００６】
したがって、この建築物内外装用の鎹型パネルは、一枚のパネルの前方鎹部にほかの一枚のパネルの鎹部が結合される連続結合構造をもって建築物の屋根や内外壁を装飾している。
【０００７】
この建築物内外装用の鎹型パネルは、前後方鎹部が互いに連結されたままで、それぞれ固定ブラケットと固定釘により屋根や内外壁に固定される。
【０００８】
この建築物内外装用の鎹型パネルは、固定ブラケットと固定釘により屋根や内外壁面に固定されるため、取り付けに多数の部品が要求され、これにより、パネルの取り付け工程が複雑になる欠点がある。
【０００９】
また、このような建築物内外装用鎹型パネルは、互いに連結される内外側鎹部に微細な隙間が形成されるため、風により水分が鎹部に逆流することを遮断し難い欠点がある。
【発明の開示】
【発明が解決しようとする課題】
【００１０】
したがって、本発明は前記のような問題点を解消するためになされたもので、その目的は、取り付け部品を単純にして建築物の屋根および内外壁への取り付け工程を簡素化し、鎹部の水分逆流を防止する建築物内外装用鎹型パネルを提供することにある。
【課題を解決するための手段】
【００１１】
前記目的を達成するため、本発明は、四辺形板状の本体と、前記本体の二つの隣接辺を外側に折り曲げて前記本体の表面に平行に延長させることにより、前記本体の一表面上に設けられる外側鎹部と、前記外側鎹部の反対側にある残り２辺を内側に折り曲げて前記本体の他表面に平行に延長させることにより、
前記本体の他表面上に設けられる内側鎹部と、前記外側鎹部または内側鎹部間の前記本体頂点部に、前記本体と同一面上に対角線方向に延設長され、固定釘により支持面に固定される固定部とを含む、建築物内外装用鎹型パネルを提供する。
【００１２】
前記外側鎹部は、水分が、風により、前記パネルの外側鎹部と前記外側鎹部と連結される隣接パネルの対応内側鎹部との間に形成された隙間に逆流することを防止するとともに水分を前記本体に誘導する逆流防止キャップを備えることができる。
【００１３】
前記本体および前記外側鎹部の外側面は石粉で塗布されることもできる。
【発明の効果】
【００１４】
このように、本発明は、建築物内外装用鎹型パネルを提供するものであって、このパネルは、本体の一表面上に２つの外側鎹部、他表面上に２つの内側鎹部、２つの外側鎹部間に、本体と同一平面上に伸びる固定部を有するものである。
【００１５】
パネルを、屋根または内外壁に、固定ブラケットを使用して固定する従来技術に比べ、本発明のパネルは、固定部に釘を打ち込む単一過程でより簡単、容易に、屋根または内外壁に、設置される。こうして、本発明は、パネルを、屋根または内外壁に設置する工程を簡素化させる。
【００１６】
さらに、逆流防止キャップを、固定部を覆い、固定部近傍の外側鎹部の上部を閉塞するように、設けているので、この逆流防止キャップが備えられていない従来技術と異なり、水分が、風により、連結する内外側鎹部間の隙間に浸透することを効果的に防止することができる。
【発明を実施するための最良の形態】
【００１７】
本発明の前記およびほかの目的、特徴および利点は添付図面を参照する以降の詳細な説明からより明らかに理解可能であろう。
【００１８】
以下、添付図面を参照して本発明を説明するが、図面において、同一あるいは類似の部品には同一符号を付ける。
【００１９】
図１は本発明の１実施形態による建築物内外装用鎹型パネルの斜視図であって、４辺の長さの同一な四辺形に形成される板状の本体１と、その本体に設けられる２つの外側鎹部３と、２つの内側鎹部５と、固定部７とからなる。
【００２０】
前記本体１はパネルの基本構成をなすもので、菱形または正方形に形成されることが好ましいが、発明の趣旨を損なわない限り、長方形に形成されてもかまわない。前記本体１は、その２つの対角線軸が、屋根または内外壁の水平線または垂直線と、それぞれ、一致するように設けられる。このようにして、複数のパネルの本体１を連続的に連結させ、屋根または内外壁上に斜め方向に連続して連設することができる。この本体１の連続した連結のため、本体１には、２つの外側鎹部３と２つの内側鎹部５が備えられている。
【００２１】
前記２つの外側鎹部３は、１頂点を介在して連続する、本体１の２辺を前方に折り曲げて形成される。すなわち、パネルの４頂点部近傍の部分を、図２に点線で示すように、又本体１の上の頂点に固定部７が形成されるように、適宜切断する。その後、固定部７を介在して位置する本体１の２辺を、図中の矢印ａで示される外側方向に折り曲げることにより、本体１の残り部分の表面に平行に伸びる２つの外側鎹部３が形成される。この場合、固定部７は、２つの外側鎹部３間にある上部頂点部に残り、本体１と同一表面上に対角線方向に伸びている。
【００２２】
前記本体１の他の表面には、２つの内側鎹部５が、その位置が前記外側鎹部３とは反対側になるように、形成されている。すなわち、外側鎹部３の反対側にある２辺、つまり固定部７の反対側にある下部頂点を介して連続する２辺を、図中の矢印ｂで示される内側方向に折り曲げることにより、本体１の他の表面に平行に伸びる２つの内側鎹部５が形成される。
【００２３】
図３に示すように、第一パネル９の２つの外側鎹部３の１つは、第二パネル１１の２つの内側鎹部５の１つと噛み合って連結され、複数のパネルが、鎹部噛み合せ法により連結される。さらに、第一パネル９の２つの内側鎹部５の他方は、第三のパネルの２つの外側鎹部３の１つと噛み合って連結される。このような連結を屋根または内外壁に繰り返すと、図４に示すように、装飾屋根または装飾壁が形成される。
【００２４】
この際、固定部７が固定釘１３により屋根または内外壁に固定されることにより、外側鎹部３および内側鎹部５により互いに連結された本体１が屋根および内外壁に固定される。
【００２５】
すなわち、前記固定部７は、２つの外側鎹部３の間の上部頂点部分に設けられ、本体１の２つの対角線の１つと垂直な方向に伸びているので、この固定部７に固定釘１３を打ち込む単一過程で、パネル９、１１を、屋根または内外壁に固定することができる。パネル９、１１を屋根または内外壁に固定するのに使用される固定釘１３の数は、好ましくは、パネル本体１のサイズによって、一つまたは二つとなる。
【００２６】
パネルには、図１に示すように、逆流防止キャップ１５が挿設されることが好ましい。すなわち、キャップ１５は、２つの外側鎹部３の上部に、その上部を閉塞するために挿入される。この状態で、前記逆流防止キャップ１５は、前記固定部７も覆うとともに、外側鎹部３と連結される二つの隣接パネルの内側鎹部５の対応する下部を閉塞する。
【００２７】
前記逆流防止キャップ１５は、各パネルの本体１から、外側鎹部３とこれらに連結される隣接パネルの内側鎹部５との隙間に、風により水分が逆流することを防止するように構成される。すなわち、外側鎹部３と内側鎹部５は互いに密着して結合されているが、水分が逆流し得る隙間が形成されているので、外側鎹部３又は本体１に落ちた水分は、風により、連結している外側、内側鎹部３、５間の隙間に逆流し、屋根または内外壁に浸透することができる。しかし、本発明の逆流防止キャップ１５はこのような水分の逆流を防止し、水分を本体１の外面に誘導する。
【００２８】
本発明の逆流防止キャップ１５は、図５ａ、図５ｂおよび図５ｃに示すように、多様に具現可能である。図５ａの逆流防止キャップ１５は、図１に示すものと同じで、固定釘１３により固定される。図５ｂの逆流防止キャップ１７は、２つの隣接パネルの内側鎹部５をその外側鎹部３と連結する前に、２つの外側鎹部３の上部に設置されてもよい。あるいは別途の接着剤で、本体１の２つの外側鎹部３の上部に保持されてもよい。
【００２９】
図５ａおよび図５ｂに示す逆流防止キャップ１５、１７は、外側、内側鎹部３、５間の隙間に逆流する水分を遮断するとともに、パネル本体１の外表面に誘導する。一方、図５ｃに示す逆流防止キャップ１９は、逆流する水分を単純に遮断する。図５ｃの逆流防止キャップ１９は、図５ａの逆流防止キャップ１５と同様に、固定釘１３により固定される。
【００３０】
図６に示すように、パネル９、１１は、本体１および外側鎹部３の外表面に石粉２０を塗布して形成することが好ましい。この石粉２０は、内外装装飾効果を向上させるため、多様な色相に形成できる。
【００３１】
これまで本発明の好ましい実施形態を例示的に開示したが、当業者であれば、添付する特許請求範囲に開示された本発明の範囲から逸脱することなしで多様な変形、追加および代替が可能であろう。
【図面の簡単な説明】
【００３２】
【図１】本発明の１実施形態の建築物内外装用鎹型パネルの斜視図である。
【図２】本発明の前記実施形態のパネルの展開図である。
【図３】本発明の前記実施形態の２つのパネルの連結方法を示す斜視図である。
【図４】本発明の前記連結方法により連結された、前記実施形態の複数のパネルを示す平面図である。
【図５】前記実施形態の異なった変形の、鎹型パネルに使用される逆流防止キャップをそれぞれ示す斜視図である。
【図６】本発明のほかの実施形態による建築物内外装用鎹型パネルの斜視図である。
【図１】
0004573777.tif 000002
【図２】
0004573777.tif 000003
【図３】
0004573777.tif 000004
【図４】
0004573777.tif 000005
【図５】
0004573777.tif 000006
【図６】
0004573777.tif 000007